(57)【要約】      （修正有）【課題】注出栓において内容物の液だれを抑制することができるスクイズ容器の提案。【解決手段】外容器１と内容器２の相互間に外気を導入するスクイズ容器において、内容器の口頚部と、注出栓３の注出孔３ｃとの相互間に、連通を遮断する隔壁４を設け、隔壁に内容物を流通させるゲート４ｃを設け、ゲート上に、外容器胴体部分のスクイズに伴う押圧にてゲートを開放し内容物の流通を可能とする弁体５を配設する。ゲートの隣接部位に、隔壁を貫通する開口６ａを有し、スクイズに伴う外容器の復元過程にて、注出孔と隔壁との相互間に存在する残留内容物を引き込むサックバック用の貯留室６を設ける。貯留室は、その内側に残留内容物の収容空間Ｍを形成する貯留室本体６ｂと、貯留室本体の収容空間内で開口に近接、離隔する向きに移動可能で、開口から離隔する向きへの移動にて残留内容物を開口を通して収容空間に引き込むスライダー６ｃとにて構成する。【選択図】図１
2014105016.tif 000002
【特許請求の範囲】
【請求項１】
口頚部を有し、容器の外観を形作る外容器と、この外容器の内側に配置され、前記外容器胴体部分のスクイズによる減容化にてその内部に充填した内容物を該口頚部に装着された注出栓を通して注出する内容器と、スクイズに伴う前記外容器胴体部分の復元過程で該外容器に形成された開孔を通して該外容器と内容器との相互間に外気を導入するスクイズ容器であって、
前記内容器の口頚部と、前記注出栓の注出孔との相互間に、該口頚部と該注出孔との連通を遮断する隔壁を設け、
前記隔壁に、内容物をその中央部において流通させるゲートを設け、このゲート上に、前記外容器胴体部分のスクイズに伴う押圧にて該ゲートを開放し内容物の流通を可能とする弁体を配設し、
前記ゲートの隣接部位に、該隔壁を貫通する開口を有し、スクイズに伴う前記外容器胴体部分の復元過程にて、前記注出孔と前記隔壁との相互間に存在する残留内容物を引き込んで貯留するサックバック用の貯留室を設け、
前記貯留室は、前記隔壁の下部に吊り下げ保持され、その内側に残留内容物の収容空間を形成する貯留室本体と、この貯留室本体の収容空間内で前記開口に近接、離隔する向きに移動可能で、該開口から離隔する向きへの移動にて残留内容物を該開口を通して該収容空間に引き込むスライダーからなることを特徴とするスクイズ容器。
【請求項２】
前記注出栓に、前記外容器に形成された前記開孔につながる外気導入孔を設け、該注出栓と前記隔壁との相互間に、前記外容器胴体部分の復元過程において該外気導入孔を開放し前記開孔を通して前記内容器と外容器との相互間に外気を導入する外気導入弁を設けたことを特徴とする請求項１に記載したスクイズ容器。
【請求項３】
前記外気導入弁は、その基部が前記弁体に一体連結するとともに、前記外容器胴体部分の復元過程で前記注出栓の内壁弁座部から離反して前記外気導入孔を開放する片持ち支持の弾性舌片からなることを特徴とする請求項２に記載したスクイズ容器。
【請求項４】
前記外気導入弁は、容器の傾動、反転姿勢もしくは外容器、内容器の相互間において発生する正圧で前記外気導入孔に合致して該外気導入孔を閉塞する一方、容器の正位姿勢もしくは外容器の復元変形によって生じる外容器、内容器の相互間での負圧でもって該外気導入孔より離反させて該外気導入孔を開放する移動体と、前記注出栓の内壁で前記外気導入孔の縁部に沿って垂下され、該移動体を挟持してその相互間に形成された隙間を通して外気を導入する少なくとも二つの係止爪からなることを特徴とする請求項２に記載したスクイズ容器。
【請求項５】
前記弁体が、三点弁であることを特徴とする請求項１〜４のいずれか１に記載したスクイズ容器。
【発明の詳細な説明】
【技術分野】
【０００１】
本発明は、合成樹脂にて成形された、内外二重の構造体からなるスクイズ容器に関するものである。ここに、内外二重の構造体とは、内容物を充填した内容器を外容器の内側に組み付けた二重容器、内容物を充填した内層体を外層体の内壁面から剥離させることにより該内容物を注出するデラミネーションタイプの容器のいずれをも含むものとし、以下、内側に位置するものを内容器、外側に位置するものを外容器として記すこととする。
【背景技術】
【０００２】
外容器の胴体部分を押圧することよってその内側に配設された内容器を減容させて内容物を注出するスクイズ容器は、内容物の注出に伴って内圧が減少するものであり、例えば、外容器の口部側壁に設けられた空気孔を通して外容器と内容器との相互間に外気を取り込むことで該外容器の胴体部分のみを元の形状に復元させるものである。
【０００３】
この種の容器は、毛染め剤や化粧料、飲料、調味料等の充填ボトルとして近年幅広い分野で多用されており、内容物の品質保持（内容物の酸化あるいは成分の揮散防止等）を図る観点から、注出栓には、内容物を注出するときのみに開放する弁体が配置された構造になっている。
【０００４】
ところで、上記の容器は、スクイズ動作を停止すると弁体が直ちに閉塞姿勢に戻るため、弁体から注出口に至るまでの通路内には内容物が残留し、容器の転倒等、その姿勢によっては残留内容物が流れ出て液だれを起こしたりすることで、注出口の周辺を汚し不衛生になってしまうことが懸念された。
【０００５】
このような不具合を解消するものとして、特許文献１には、吸入口と突出口を有する弁室と、この内部を往復動する弁体と、この弁体の外周面と接する弁座とを備えた逆止弁につき、該弁室の上部に筒部を設け、この筒部内にて弁体が落下移動する際に、該弁体が閉鎖栓となって弁室内の液体を上側の液体と下側の液体とに仕切り、弁体の移動により上側の液体の一部を弁室内に吸引させる構造のものが提案されている。
【先行技術文献】
【特許文献】
【０００６】
【特許文献１】特許第３１３７８５０号公報
【０００７】
しかしながら、上記従来の逆止弁にあっては、弁体が移動するとき、外気に触れた上側の液体の一部が下側の液体へと流れ込むため、容器内の内容物を使い切るまでその品質を安定的に維持できるかどうかという点において未だ改善の余地が残されている。
【発明の開示】
【発明が解決しようとする課題】
【０００８】
本発明の課題は、外気に触れた内容物の容器内への流れ込みを防止して容器内の内容物の品質を維持するとともに、内容物の残留に伴う液だれ等を回避し得るスクイズ容器を提案するところにある。
【課題を解決するための手段】
【０００９】
本発明は、口頚部を有し、容器の外観を形作る外容器と、この外容器の内側に配置され、前記外容器胴体部分のスクイズによる減容化にてその内部に充填した内容物を該口頚部に装着された注出栓を通して注出する内容器と、スクイズに伴う前記外容器胴体部分の復元過程で該外容器に形成された開孔を通して該外容器と内容器との相互間に外気を導入するスクイズ容器であって、
前記内容器の口頚部と、前記注出栓の注出孔との相互間に、該口頚部と該注出孔との連通を遮断する隔壁を設け、前記隔壁に、内容物をその中央部において流通させるゲートを設け、このゲート上に、前記外容器胴体部分のスクイズに伴う押圧にて該ゲートを開放し内容物の流通を可能とする弁体を配設し、前記ゲートの隣接部位に、該隔壁を貫通する開口を有し、スクイズに伴う前記外容器胴体部分の復元過程にて、前記注出孔と前記隔壁との相互間に存在する残留内容物を引き込んで貯留するサックバック用の貯留室を設け、前記貯留室は、前記隔壁の下部に吊り下げ保持され、その内側に残留内容物の収容空間を形成する貯留室本体と、この貯留室本体の収容空間内で前記開口に近接、離隔する向きに移動可能で、該開口から離隔する向きへの移動にて残留内容物を該開口を通して該収容空間に引き込むスライダーからなることを特徴とするスクイズ容器である。
【００１０】
上記の構成からなるスクイズ容器においては、前記注出栓に、前記外容器に形成された前記開孔につながる外気導入孔を設け、該注出栓と前記隔壁との相互間に、前記外容器胴体部分の復元過程において該外気導入孔を開放し前記開孔を通して前記内容器と前記外容器との相互間に外気を導入する外気導入弁を設けること、また、外気導入弁として、その基部が前記弁体に一体連結するとともに、前記外容器胴体部分の復元過程で前記注出栓の内壁弁座部から離反して前記外気導入孔を開放する片持ち支持された弾性舌片からなるものを適用すること、あるいは、外気導入弁として、容器の傾動、反転姿勢もしくは外容器、内容器の相互間において発生する正圧で前記外気導入孔に合致して該孔部を閉塞する一方、容器の正位姿勢もしくは外容器の復元変形によって生じる外容器、内容器の相互間での負圧でもって該外気導入孔より離反させて該孔を開放する移動体と、前記注出栓の内壁で前記外気導入孔の縁部に沿って垂下され、該移動体を挟持してその相互間に形成された隙間を通して外気を導入する少なくとも二つの係止爪からなるものを適用すること、さらに、弁体として、三点弁を適用することが、本発明の課題解決のための具体的手段としてとくに好ましい。
【発明の効果】
【００１１】
上記の構成からなる本発明のスクイズ容器によれば、内容器の口頚部と注出栓の注出孔との相互間に、該口頚部と該注出孔との連通を遮断する隔壁を設け、この隔壁に、外容器胴体部分のスクイズに伴う押圧にてその中央部に設けられたゲートを開放し内容物の流通を可能とする弁体を配設するとともに、ゲートの隣接部位に、該隔壁を貫通する開口を有し、スクイズに伴う外容器胴体部分の復元過程にて、注出孔と隔壁との相互間に存在する残留内容物を引き込んで貯留するサックバック用の貯留室を設けたため、スクイズ動作を停止するとスライダーの移動にて残留内容物は、貯留室へと引き込まれることとなり、これにより注出孔から内容物が排出されて液だれが生じるのを回避することができる。また、残留内容物が容器内へと流れ込むこともないので容器内の内容物はそれを使い切るまで高品質に維持される。
【００１２】
また、本発明によるスクイズ容器によれば、注出栓と隔壁との間に外気導入弁を設け、この外気導入弁を通して内容器と外容器の相互間に外気を導入するようにしたので、スクイズにより押し潰されても外容器は、初期形状に速やかに復元する。
【００１３】
また、本発明によるスクイズ容器によれば、外気導入弁を、基部を弁体に一体連結するとともに、外容器胴体部分の復元過程で注出栓の内壁弁座部から離反して外気導入孔を開放する片持ち支持された弾性舌片にて構成したため、部品点数の削減を図ることができるとともに、効率的な組み付けが可能となる。
【００１４】
また、本発明にかかるスクイズ容器によれば、外気導入弁を、容器の傾動、反転姿勢もしくは外容器、内容器の相互間において発生する正圧で外気導入孔に合致して該外気導入孔を閉塞する一方、容器の正位姿勢もしくは外容器の復元変形によって生じる外容器、内容器の相互間での負圧
でもって該外気導入孔より離反させて該外気導入孔を開放する移動体と、注出栓の内壁で外気導入孔の縁部に沿って垂下され、該移動体を挟持してその相互間に形成された隙間を通して外気を導入する少なくとも二つの係止爪にて構成したため、外気導入弁のより確実な開閉が行える。
【００１５】
さらに、本発明のスクイズ容器によれば、内容物を流通させる弁体として、三点弁を用いたため、内容物の流通経路を確実に遮断することが可能となり、容器内への外気、異物等の侵入が回避され内容物の品質を長期にわたって維持できる。
【図面の簡単な説明】
【００１６】
【図１】本発明にしたがうスクイズ容器の実施の形態を示した図であり、（ａ）は平面を示した図であり、（ｂ）は側面を断面で示した図である。
【図２】図１のＡ視図である。
【図３】三点弁の構成を示した図である。
【図４】本発明にしたがうスクイズ容器による内容物の注出状況を示した図である。
【図５】本発明にしたがうスクイズ容器の他の実施の形態を示した図であり、（ａ）は平面を示した図、（ｂ）は、側面を断面で示した図である。
【図６】外気導入弁の要部を底面について示した図である。
【図７】図５（ａ）のＢ-Ｂ断面の要部を示した図である。
【図８】外気導入弁を構成する移動体と係止片の外観斜視図である。
【図９】図５に示したスクイズ容器を用いて内容物を注出する状況を示した図である。
【発明を実施するための最良の形態】
【００１７】
以下、図面を参照して本発明をより具体的に説明する。
図１（ａ）（ｂ）は本発明に従うスクイズ容器（デラミネーションタイプ）の実施の形態を模式的に示した図であり、図２は、図１のＡ視図である。
【００１８】
図における符号１は、軟質で初期形状に復元可能な合成樹脂からなり、容器の外観形状を形作る外容器（外層体）である。外容器１は、円筒状の口頚部１ａを有する、例えばボトル型形状をなすものが適用されるが、その胴体部分の形状は、内容物の種類や用途に応じて種々変更することができるものであって、ここでは、外容器１の全体形状についての表示はしない。また、口頚部１ａについては円筒状のものを例として示したが、その形状は円筒状のものに限られるわけではなく、種々の形状のものを適宜採用することができる。
【００１９】
また、２は、外容器１の胴体部分のスクイズによって減容化することができる内容器〈内層体〉である。この内容器２の内側には充填空間が形成されており、該充填空間に内容物が充填される。
【００２０】
内容器２は、その口頚部２ａが外容器１の口頚部１ａに一体連結しており、その胴体部分の周りにおける少なくとも一箇所には、容器の軸心に沿って外容器１の内壁につながる幅の狭い接合部が設けられており、これにより、内容器２が外容器１内で位置決めされている。なお、接合部は、剥離不能に接着されている部位であるが、該接合部は設けなくてもよい。
【００２１】
また、３は、外容器１の口頚部１ａに着脱自在にねじ止め（アンダーカットによる嵌合でもよい）された注出栓である。
【００２２】
注出栓３は、外容器１の口頚部１ａの開口を覆う天面壁３ａと、この天面壁３ａの縁部に一体連結し、その内壁面に外容器１の外周に設けられたねじ部に係合するねじ部を有する環状周壁３ｂと、天面壁３ａに設けられ、注出孔を通して内容物の注出を可能とする注出筒３ｃとを備えている。
【００２３】
４は、注出栓３の天面壁３ａと、外容器１の口頚部１ａとの相互間に設けられたディスク状の隔壁である。この隔壁４は、外容器１の口頚部１ａと注出栓３との連通を遮断するものであり、口頚部１ａの開口部を覆う隔壁本体４ａの下面には、内容器２の口頚部２ａおよび外容器１の口頚部１ａの内面に嵌合する脚部４ｂが設けられ、該隔壁本体４ａには、内容物を流通させるゲート（開孔）４ｃが形成されている。
【００２４】
５は、ゲート４ｃを閉塞状態に保持するが、外容器１の胴体部分のスクイズにより該ゲート４ｃを開放して内容物を流通させる弁体である。この弁体５は、例えば、固定部を形成する管状の基部５ａと、この基部５ａおよび弁本体５ｂ（ゲート４ｃを閉塞する部分）を一体的につなぐ三本の弾性アーム５ｃから構成された図３に示すような三点弁が適用される。なお、弁体５の構造については上記のものには限定されない。
【００２５】
６は、ゲート４ｃの隣接部位に設けられ、隔壁４において貫通する開口６ａを有するサックバック用の貯留室である。この貯留室６は、隔壁４の下部に吊り下げ保持され（一体連結したものであってもよいし別部材を組み合わせたものでもよい。また、隔壁４の上部に立設してもよい。）、その内側に残留内容物の収容空間Ｍを形成する底無し筒状の周壁にて形成された貯留室本体６ｂと、この貯留室本体６ｂの収容空間Ｍ内で開口６ａに近接、離隔する向きに移動可能で、該開口６ａから離隔する向きへの移動にて残留内容物を該開口６ａを通して収容空間Ｍに引き込むスライダー６ｃから構成されている。なお、前記開口６ａは、弁体５によって一部分が覆われていてもよいが、完全には閉塞されておらず、常時開放された状態にある。
【００２６】
また、７は、貯留室本体６ｂを形成する周壁の上端部位に設けられ、スライダー６ｃの、開口６ａからの抜け出しを防止する少なくとも１つの突起、８は貯留室本体６ｂの下部に設けられた末端開口である。
【００２７】
末端開口８は、スライダー６ｃよりも小さなサイズになっており、突起７と末端開口８の範囲内でスライダー６ｃが移動する。
【００２８】
内容物の注出に際して容器を傾動姿勢あるいは反転姿勢に保持するとスライダー６ｃは、開口６に最も近接するように移動する。一方、内容物の注出を終えて容器を正位姿勢に戻すと該スライダー６ｃは、その自重、または内容器２の復元力によって生じる負圧により開口６から離隔する向き、すなわち、末端開口８に向けて移動することとなり、この時、隔壁４の上面に存在する残留内容物は、開口６ａを通して収納空間Ｍへと引き込まれ、これにより液だれが回避される。
【００２９】
スライダー６ｃと貯留室本体６ｂを形成する周壁との間には、わずかな隙間が形成されていてもよいが、内容物の表面張力等を考慮して残留内容物がその隙間を通り抜けることがない隙間設定がなされており、残留内容物は収容空間Ｍに確実に収容される結果、外気に触れた内容物（残留内容物）が貯留室本体６ｂを通じて容器内へ入り込むのが回避される。
【００３０】
スライダー６ｃは、合成樹脂製や金属製のものを適用することが可能であって、とくに金属製のものを適用する場合には、自重によるスムーズな移動が可能となりサックバック効果をより一層高めることができる。スライダー６ｃを金属製の部材で構成する際にはその表面を樹脂で被覆したものを用いてもよく、これにより内容物の品質が安定的に維持される。
【００３１】
スライダー６ｃは、この例では、球状体を例として示したが、貯留室本体６ａ内でのスムーズな移動が可能であるならばその形状は適宜変更可能であり、図示のものには限定されない。なお、スライダー６ｃは、それを乗り越えて内容物および／または空気が実質的に流通することがないように設計されている。
【００３２】
９は、注出栓３の天面壁３ａの少なくとも１箇所（好ましくは２箇所）に設けられた外気導入孔、１０は外容器１の口頚部１ａに設けられた横向の開孔である。外気導入孔９を通して流入する外気は、隔壁４の外縁部と注出栓３の環状周壁３ｂとの間に形成された隙間、口頚部１ａと注出栓３の環状周壁３ｂとの間に形成された隙間、および開孔１０を通して内容器２と外容器１との相互間に導入される。
【００３３】
１１は、注出栓３と隔壁４との相互間に配置、固定された外気導入弁である。この外気導入弁１１は、上端部が、注出栓３の天面壁３ａの下面に設けられた環状溝部（注出筒３ｃの貫通孔を取り囲む位置に設けられている）３ｄに嵌合する一方、下端部が、隔壁４の上面に設けられた環状凹部４ｄ（開口６ａ、ゲート４ｃおよび弁体５を取り囲む位置に設けられている）に嵌合してその内側に区画領域を形成する筒体１１ａと、この筒体１１ａの外周壁に片持ち支持状態で一体連結しその自由端を注出栓３の天面壁３aの内壁弁座部に離反可能に当接させて外気導入孔９を閉状態に保持するリング状の弾性舌片１１ｂから構成されている。
【００３４】
外気導入弁１１は、外容器１の胴体部分に加えた力（スクイズのための力）を取り除いて該外容器１が初期形状に復元する際に開放するものであり、内容器２と外容器１との相互間への外気の導入により外容器１は速やかに初期形状へと復帰し、かつ、スクイズ動作により内容器２を押し潰すときには閉塞状態に保たれ、内容器２の中に充填された内容物を確実に排出する。
【００３５】
外気導入弁１１と、弁体５とは、それらを相互に一体連結することが可能（弁体５の基部５ａと筒体１１ａの一体化）であり、これにより部品点数を削減することができるが、筒体１１ａと弁体５とは、別部材で構成してもよく、この点については限定されない。
【００３６】
さらに、１２は蓋体である。この蓋体１２は、注出栓３の天面壁３ａの縁部にヒンジ１３、弾性体１４を介して開閉可能に連結する。この蓋体１２は、天板１２ａと、この天板１２ａの縁部に連結する周壁１２ｂと、この周壁１２ｂの前方に一体連結する指掛け部１２ｃからなっており、蓋体１２を閉じるとき、天板１２ａの裏面に設けた環状体１２ｄが注出筒３ｃの注出孔内に挿入され嵌合するようになっている。このとき、少なくとも残留内容物の一部は収容空間Ｍ内に引き込まれているため、注出孔内には残留内容物は存在せず、該環状帯１２ｄが該注出孔に挿入されても液だれや液はねが生じることはない。
【００３７】
上記の構成からなるスクイズ容器において、内容器２内に充填された内容物を注出するには、容器を図４に示すように傾動、反転姿勢に保持して外容器１の胴体部分をスクイズすればよく、これにより内容器２は減容（縮減）するとともに、その中に充填された内容物が、口頚部２ａ、ゲート４ｃを通り、注出筒３ｃの注出孔から排出される。このとき、スライダー６ｃは、開口６ａに近接したところ（突起７が設けられた部位）に位置する。
【００３８】
スクイズ動作を停止すると、ゲート４ｃは、弁体５により、すぐさま閉塞状態に保持されるとともに、外気導入弁１１の弾性舌片１１ｂが注出栓３の内壁弁座部から離反して外気導入孔９が開放され、これにより外容器１と内容器２との相互間に外気が導入されて該外容器１は速やかに初期形状（潰れる前の形状）へと復帰する。
【００３９】
スクイズ動作の停止に合わせて容器を正位姿勢（起立姿勢）に戻すと、注出筒３ｃから隔壁４に至るまでの空間には、内容物が残存することになるが、スライダー６ｃが末端開口８に向けて移動する間に、該スライダー６ｃの移動に伴うサックバックによって、隔壁４の上部に存在する残留内容物は貯留室６の収容空間Ｍへと引き込まれることとなる。
【００４０】
内容物の引き込み量は、スライダー６ｃの移動量、収容空間Ｍの容積によって決定されるものであり、この点は適宜設定される。
【００４１】
なお、貯留室６は、弁体５の弁本体５ｂに設けることも可能である。
【００４２】
図５（ａ）（ｂ）、図６、図７、図８は、本発明に従うスクイズ容器の他の例を示した図である。かかるスクイズ容器は、外気導入弁１１が、容器の傾動、反転姿勢もしくは外容器１、内容器２の相互間において発生する正圧で外気導入孔９に合致して該外気導入孔９を閉塞し、容器の正位姿勢もしくは外容器１の復元変形によって生じる外容器１、内容器２の相互間での負圧でもって該外気導入孔９から離反して該外気導入孔９を開放する移動体（球体）１１ｃと、注出栓３の内壁（天面壁３ａの裏面）で外気導入孔９の縁部に沿って垂下され、該移動体１１ｃを挟持してその相互間に形成される隙間Ｓ（図８参照）を通して外気を導入する一対の係止片１１ｄにて構成したものである。
【００４３】
上記の外気導入弁１１においては、容器が正位姿勢の状態（図５（ｂ）、図７参照）では、移動体１１ｃが外気導入孔９から離反しており、該外気導入孔９を経て外容器１と内容器２との相互間に外気を導入することが可能になっている。
【００４４】
また、スクイズ動作により内容物を注出すべく、容器を傾動、反転姿勢に保持した図９に示すような状態では、該移動体１１ｃは、係止片１１ｄに沿って移動して外気導入孔９に合致（内壁座部に当接）して該外気導入孔９を閉塞し、スクイズ動作に伴う力を内容器２に効率的に伝達して該内容器２を確実に押し潰すことができる。
【００４５】
上記の構成からなる外気導入弁１１においては、係止片１１ｄの下端に爪部１１ｄ１を設けて移動体１１ｃを抜け止め保持することができる他、移動体１１ｃの、係止片１１ｄへの組み付け後に該係止片１１ｄの下端をリブの如き部材で連結することによっても移動体１１ｃを抜け止め保持することが可能であり、この点については限定されない。また、係止片１１ｄは、２つ設けた場合について示したが、３つ以上設けることもできる。移動体１１ｃについては図示したように球体を適用することができるが、他の形状のものを用いてもよい。
【００４６】
なお、上掲図１〜９においては、外容器１を外層体で構成し、内容器２を内層体で構成し、内容物の注出量が多くなるに従って該内層体２が外層体１から剥離して減容していくデラミネーションタイプのスクイズ容器を例として示したが、本発明は、外容器１の内側に内容物を充填した内容器２を組み付けた二重容器を適用することも可能であり、これにより、外容器１の再利用が可能なる。
【００４７】
また、上記実施の形態では貯留室本体６ｂの下部に末端開口８を備えた底無し筒状の周壁にて収容空間Ｍを形成した貯留室６を適用した場合について示したが、該貯留室６は底部を有するものを用いることもできる。この場合、周壁の内面には、開口６ａから底部へ向けて伸延する少なくとも１本の導通溝を設けておくのがよく、これによりスライダー６ｃのスムーズな移動が可能となる。
【産業上の利用可能性】
【００４８】
本発明によれば、注出栓に残存した内容物は、サックバックにより貯留室に収容されるため、残存にかかる内容物が漏れ出ることがない。また、外気に触れた内容物が容器内へ戻ることがないので容器内の内容物はそれを使い切るまで高い品質のまま維持される。
【符号の説明】
【００４９】
１      外容器
１ａ    口頚部
２      内容器
２ａ    口頚部
３      注出栓
３ａ    天面壁
３ｂ    環状周壁
３ｃ    注出筒
３ｄ    環状溝部
４      隔壁
４ａ    隔壁本体
４ｂ    脚部
４ｃ    ゲート
４ｄ    環状凹部
５      弁体
５ａ    基部
５ｂ    弁本体
６      貯留室
６ａ    開口
６ｂ    貯留室本体
６ｃ    スライダー
７      突起
８      末端開口
９      外気導入孔
１０    開孔
１１    外気導入弁
１１ａ  筒体
１１ｂ  弾性舌片
１１ｃ  移動体
１１ｄ  係止片
１２    蓋体
１２ａ  天板
１２ｂ  周壁
１２ｃ  指掛け部
１２ｄ  環状体
１３    ヒンジ
１４    弾性体
【図１】
2014105016.tif 000003
【図２】
2014105016.tif 000004
【図３】
2014105016.tif 000005
【図４】
2014105016.tif 000006
【図５】
2014105016.tif 000007
【図６】
2014105016.tif 000008
【図７】
2014105016.tif 000009
【図８】
2014105016.tif 000010
【図９】
2014105016.tif 000011